(57)【要約】【課題】帯電ローラによる像担持体の帯電時に生じるトナー等の異物により光書込み装置が汚れるのをできるだけ抑制しつつ、帯電ローラの耐久性を向上する。【解決手段】帯電ローラ３ａは感光体２に対して所定の帯電ギャップＧをおいて非接触帯電を行う帯電ローラである。また、帯電ローラ３ａの回転中心３ａ1は、感光体２の回転中心２ａを通る水平線αより下方でかつこの水平線αより感光体２の回転方向下流側に位置し、更に感光体２の回転中心２ａの真下より感光体２の回転方向上流側に設けられている。更に、帯電ローラ３ａに圧接されてこの帯電ローラ３ａをクリーニングするクリーニング部材３ｂが回転可能に設けられているとともに、このクリーニング部材３ｂの回転中心３ｂ1が帯電ローラ３ａの回転中心３ａ1を通る水平線βより下方に設けられている。【選択図】    図１
2007017954.tif 000002
【特許請求の範囲】
【請求項１】
回転する像担持体の周囲に、帯電ローラを備えた帯電装置、光書込み装置、および現像ローラを備えた現像装置が像担持体の回転方向下流側に向かってこれらの順に配設されている画像形成装置において、
前記帯電ローラは、前記像担持体に対して所定の帯電ギャップをおいて非接触帯電を行う帯電ローラであり、
前記帯電ローラの回転中心は、前記像担持体の回転中心を通る水平線より下方でかつこの水平線より前記像担持体の回転方向下流側に位置し、更に前記像担持体の回転中心の真下より像担持体の回転方向上流側に設けられており、
前記帯電ローラに圧接されてこの帯電ローラをクリーニングするクリーニング部材が回転可能に設けられているとともに、このクリーニング部材の回転中心が前記帯電ローラの回転中心を通る水平線より下方に設けられていることを特徴とする画像形成装置。
【請求項２】
前記帯電ローラの回転方向が前記像担持体の回転方向と逆方向に設定されているとともに、前記クリーニング部材の回転方向が前記帯電ローラの回転方向と逆方向に設定されていることを特徴とする請求項１記載の画像形成装置。
【請求項３】
前記帯電ローラの周速と前記像担持体の周速とが同一または略同一（周速比を１または略１）に設定されていることを特徴とする請求項２記載の画像形成装置。
【請求項４】
前記帯電ローラの回転中心と前記像担持体の回転中心とを結ぶ直線と、前記帯電ローラの回転中心と前記クリーニング部材の回転中心とを結ぶ直線とが互いに交差するように設定されていることを特徴とする請求項１ないし３のいずれか１記載の画像形成装置。
【発明の詳細な説明】
【技術分野】
【０００１】
本発明は、電子写真、静電複写機、プリンタ、ファクシミリ等の画像形成装置において、像担持体に対して帯電ローラにより非接触帯電を行うようになっている画像形成装置の技術分野に関し、特に、回転する像担持体の周囲に、帯電ローラ、光書込み装置、および現像ローラ装置が像担持体の回転方向下流側に向かって順次配設されているとともに、帯電ローラに圧接されたクリーニング部材でこの帯電ローラをクリーニングするようになっている画像形成装置の技術分野に関する。
【背景技術】
【０００２】
従来、電子写真、静電複写機、プリンタ、ファクシミリ等の画像形成装置として、回転する像担持体の周囲に、帯電ローラ、光書込み装置、および現像ローラ装置が像担持体の回転方向下流側に向かって順次配設されている画像形成装置が知られている（例えば、特許文献１等参照）。この特許文献１に開示の画像形成装置は、接触式帯電ブラシを感光体に接触させつつ感光体と同方向に回転させることにより（感光体の周速方向と接触式帯電ブラシの周速方向とが逆方向）感光体を一様帯電し、光書込み装置により感光体に静電潜像を書込み、現像ローラで搬送されてくるトナーでこの感光体上の静電潜像を現像してトナー像を形成するようになっている。
【特許文献１】特開２００４−６６７５８号公報。
【発明の開示】
【発明が解決しようとする課題】
【０００３】
ところで、この特許文献１に開示の画像形成装置では、光書込み装置が接触式帯電ブラシの感光体への当接位置（接触式帯電ブラシによる感光体の帯電位置）より下方にあるため、感光体の転写残りトナー等の異物が接触式帯電ブラシの接触で感光体から分離して装置内を浮遊したり、接触式帯電ブラシに付着したりする。そして、浮遊した異物により光書込み装置を汚れて実用には供し得るが良質の画像が長期にわたって得られなくなるおそれがある。また、感光体の周速方向と接触式帯電ブラシの周速方向とが逆方向となっているため、異物の浮遊が更に顕著になることが考えられる。しかも、接触式帯電ブラシに異物が付着することで、長期にわたって良好な帯電を行うことが難しくなり、接触式帯電ブラシの耐久性が損なわれることが考えられる。
【０００４】
本発明は、このような事情に鑑みてなされたものであって、その目的は、帯電ローラによる像担持体の帯電時に浮遊するトナー等の異物や帯電ローラに付着するトナー等の異物により、光書込み装置が汚れるのをできるだけ抑制しつつ、帯電ローラの耐久性を向上することのできる画像形成装置を提供することである。
【課題を解決するための手段】
【０００５】
前述の課題を解決するために、請求項１の発明の画像形成装置は、回転する像担持体の周囲に、帯電ローラを備えた帯電装置、光書込み装置、および現像ローラを備えた現像装置が像担持体の回転方向下流側に向かってこれらの順に配設されている画像形成装置において、前記帯電ローラが、前記像担持体に対して所定の帯電ギャップをおいて非接触帯電を行う帯電ローラであり、前記帯電ローラの回転中心が、前記像担持体の回転中心を通る水平線より下方でかつこの水平線より前記像担持体の回転方向下流側に位置し、更に前記像担持体の回転中心の真下より像担持体の回転方向上流側に設けられており、前記帯電ローラに圧接されてこの帯電ローラをクリーニングするクリーニング部材が回転可能に設けられているとともに、このクリーニング部材の回転中心が前記帯電ローラの回転中心を通る水平線より下方に設けられていることを特徴としている。
【０００６】
また、請求項２の発明は、前記帯電ローラの回転方向が前記像担持体の回転方向と逆方向に設定されているとともに、前記クリーニング部材の回転方向が前記帯電ローラの回転方向と逆方向に設定されていることを特徴としている。
更に、請求項３の発明は、前記帯電ローラの周速と前記像担持体の周速とが同一または略同一（周速比を１または略１）に設定されていることを特徴としている。
【０００７】
更に、請求項４の発明は、前記帯電ローラの回転中心と前記像担持体の回転中心とを結ぶ直線と、前記帯電ローラの回転中心と前記クリーニング部材の回転中心とを結ぶ直線とが互いに交差するように設定されていることを特徴としている。
【発明の効果】
【０００８】
このように構成された本発明の画像形成装置によれば、クリーニング部材を帯電ローラの回転中心を通る水平線より下方に位置させる、つまり、帯電ローラに対してクリーニング部材を重力方向の下方に配置させることになるので、クリーニング部材が帯電ローラ上のトナー等の異物を掻き取った際、掻き取られた異物を下方に自然落下させることができる。これにより、掻き取られたトナー等の異物が光書込み装置の方へ進行することはなく、光書込み装置にこのような異物が付着し難くなり、長期的に安定した画像形成を実現することができる。特に、帯電ローラが像担持体に対して非接触帯電を行うことで、非接触帯電時に像担持体からの異物の浮遊が抑制されるので、光書込み装置の汚れがより効果的に抑制できる。
【０００９】
特に、請求項２の発明によれば、像担持体と帯電ローラとを互いに逆向きに回転させるとともに、クリーニング部材と帯電ローラとを互いに逆向きに回転させ、しかも、光書込み装置を帯電ローラより像担持体の回転方向下流側に配置しているので、クリーニング部材から帯電ローラによって掻き取られたトナー等の異物を光書込み装置側と反対側に進行させることができるとともに、しかも、掻き取られて浮遊しているトナー等の異物をクリーニング部材が壁となって光書込み装置側に進行するのを阻止できる。これにより、光書込み装置にこのような異物が更に効果的に付着し難くなり、更に長期的に安定した画像形成を実現することができる。
【００１０】
また、請求項３の発明によれば、帯電ローラの周速と像担持体の周速とを同一または略同一（周速比を１または略１）に設定しているので、トナー等の異物の浮遊を起こり難くすることができ、光書込み装置への異物の付着を一層抑制することができる。更に、クリーニング部材の周速と帯電ローラの周速とを同一または略同一（周速比を１または略１）に設定しているので、トナー等の異物の浮遊を起こり難くすることができ、光書込み装置への異物の付着を更に効果的に抑制することができる。
【００１１】
更に、請求項４の発明によれば、更に、帯電ローラの回転中心と像担持体の回転中心とを結ぶ直線と、帯電ローラの回転中心とクリーニング部材の回転中心とを結ぶ直線とを互いに交差するように設定しているので、クリーニング部材の帯電ローラへの圧接力による、帯電ローラと像担持体との近接距離への影響を抑制することができる。これにより、クリーニング部材を帯電ローラへ圧接させても、帯電ギャップを帯電領域全体にわたって、長期的に安定して設定することができる。
【発明を実施するための最良の形態】
【００１２】
以下、図面を用いて本発明を実施するための最良の形態について説明する。
図１は、本発明にかかる画像形成装置の実施の形態の一例を模式的に示す図である。
【００１３】
図１に示すように、この例の画像形成装置１は静電潜像およびトナー像が形成される像担持体である感光体２を備えているとともに、この感光体２の周囲に感光体２の回転方向（図１では、時計回り）上流側から下流側に向かって順に配設された、非接触の帯電装置３、光書込み装置４、現像装置５、転写装置６、およびクリーニング装置７を備えている。
【００１４】
帯電装置３は、感光体２に対して非接触の帯電ローラ３ａおよびローラからなりこの帯電ローラ３ａに圧接されるクリーニング部材３ｂを有している。帯電ローラ３ａの回転中心３ａ1は、感光体２の回転中心２ａを通る水平線αより下方でかつ水平線αより感光体２の回転方向下流側に位置されている。その場合、帯電ローラ３ａの回転中心３ａ1は感光体２の回転中心２ａの真下より感光体２の回転方向上流側に設けられている。
【００１５】
すなわち、帯電ローラ３ａの回転中心３ａ1は、水平線αのうち、感光体２の回転方向が下向きとなる水平線部分α1から感光体２の回転方向に角度Ｐ（°）の位置に設定されている。そして、帯電ローラ３ａの回転中心３ａ1は角度Ｐが９０°以上の位置には設定されない。これは、帯電ローラ３ａの回転中心３ａ1を角度Ｐが９０°以上の位置に設定すると、現像装置５と帯電ローラ３ａとの間のスペースが狭くなり、光書込み装置４を設置し難くなるとともに、設置した光書込み装置４が現像ローラ５ａの真下あるいは略真下に位置するようになるので、現像ローラ５ａから落下したトナー等の異物が光書込み装置４を汚してしまうおそれがあるためである。したがって、本発明では、帯電ローラ３ａは、０°＜角度Ｐ＜９０°の範囲に設定される。
【００１６】
また、クリーニング部材３ｂの回転中心３ｂ1は、帯電ローラ３ａの回転中心３ａ1を通る水平線βより下方でかつ水平線βより帯電ローラの回転方向上流側に位置されている。すなわち、クリーニング部材３ｂの回転中心３ｂ1は、帯電ローラ３ａの回転中心３ａ1を通る水平線βのうち、帯電ローラ３ａの回転方向が上向きとなる水平線部分β1から帯電ローラ３ａの回転方向と逆方向に角度Ｃ（°）の位置に設定されている。なお、クリーニング部材３ｂの回転中心３ｂ1は、感光体２および光書込み装置４と干渉しないように設ける必要がある。
【００１７】
このようにして、帯電ローラ３ａおよびクリーニング部材３ｂは、いずれも感光体２より重力方向で下方に配置されるとともに、更にクリーニング部材３ｂは帯電ローラ３ａより重力方向で下方に配置されるようになる。
【００１８】
そして、帯電ローラ３ａの回転中心３ａ1の位置角度Ｐ（°）とクリーニング部材３ｂの回転中心３ｂ1の位置角度Ｃ（°）とは互いに異なるように設定されている。つまり、帯電ローラ３ａの回転中心３ａ1と感光体２の回転中心２ａとを結ぶ直線と帯電ローラ３ａの回転中心３ａ1とクリーニング部材３ｂの回転中心３ｂ1とを結ぶ直線とが互いに交差するように設定されている。
【００１９】
帯電ローラ３ａは、この例では後述する帯電ギャップＧを設定する絶縁層３ｊ,３ｋが感光体２に当接させた状態で感光体２の回転に連れ回る方向に回転するようになっている。したがって、帯電ローラ３ａの回転方向は感光体２の回転方向と逆方向（図１では反時計回り）となる。また、クリーニング部材３ｂは、帯電ローラ３ａに圧接することで帯電ローラ３ａの回転に連れ回る方向に回転するようになっている。したがって、クリーニング部材３ｂの回転方向は帯電ローラ３ａの回転方向と逆方向（図１では時計回り；感光体２と同方向）となる。
【００２０】
その場合、本明細書においては、クリーニング部材７の連れ回り方向の回転方向を順方向と定義し、この例では帯電ローラ３ａの順方向は反時計回りであり、クリーニング部材３ｂの順方向は時計回りである。また、連れ回りにより、帯電ローラ３ａの周速と感光体２の周速とは同一または略同一（つまり、周速比が１または略１）に設定されるとともに、クリーニング部材３ｂの周速と帯電ローラ３ａの周速とは同一または略同一（つまり、周速比が１または略１）に設定される。
【００２１】
そして、帯電ローラ３ａにより感光体２を非接触で一様帯電するとともに、クリーニング部材３ｂにより帯電ローラ３ａをクリーニングして帯電ローラ３ａに付着するトナーやごみ等の異物を除去する。
【００２２】
図２（ａ）に示すように、非接触の帯電ローラ３ａは芯金３ｃを備えており、この芯金３ｃは導電性を有する、例えば金属シャフト等からなる導電性シャフトとして構成されている。この導電性シャフトとしては、例えばＳＵＭ２２の表面にＮｉめっきを施したものを用いることができる。
【００２３】
芯金３ｃの両端部の外周面には、それぞれ環状の窪み３ｄ,３ｅが形成されている。これらの窪み３ｄ,３ｅの内側の芯金３ｃの中央部３ｆの外周面には、導電性塗装材を例えばスプレー塗装で塗装することにより導電層３ｇが形成されている。その場合、導電性塗装材は両窪み３ｄ,３ｅ内にも浸入して芯金３ｃの両窪み３ｄ,３ｅ形成部分も部分的に被覆するようになる。この導電層３ｇは、感光体２に対して所定の帯電ギャップＧで非接触帯電を行う帯電部を構成している。
【００２４】
また、窪み３ｄ,３ｅの外側の芯金３ｃの両端部３ｈ,３ｉの外周面には、それぞれ、絶縁性塗装材を例えばスプレー塗装することにより絶縁層３ｊ,３ｋが形成されている。その場合、絶縁性塗装材は両窪み３ｄ,３ｅ内にも浸入して芯金３ｃの両窪み３ｄ,３ｅ形成部分も部分的に被覆するととともに、芯金３ｃの両端面も被覆するようになる。これらの絶縁層３ｊ,３ｋの外径は互いに等しく設定されている。両絶縁層３ｊ,３ｋの膜厚は導電層３ｇの膜厚より大きく設定されている。したがって、これらの絶縁層３ｊ,３ｋは、感光体２に当接して導電層３ｇと感光体２との間に、これらの膜厚の差に基づく所定の帯電ギャップＧを設定するギャップ部を構成している。このように、ギャップ部材である絶縁層３ｊ,３ｋは芯金３ｃの外周面（表面）に形成されている。
【００２５】
そして、図２（ｂ）に示すように窪み３ｄの深さｔ1は、導電層３ｇの膜厚ｔ2と絶縁層３ｊの膜厚ｔ3との和よりも大きく設定されている［ｔ1 ＞ （ｔ2 ＋ ｔ3 ）］。したがって、窪み３ｄの深さｔ1は導電層３ｇの膜厚ｔ2および絶縁層３ｊの膜厚ｔ3のいずれよりも大きく設定される（ｔ1 ＞ ｔ2、ｔ1 ＞ ｔ3、ｔ3 ＞ ｔ2）。
また、芯金３Ｃの窪み３ｄを形成する縁部がいずれも面取り（Ｃカット）ｃを施されている。更に、芯金３ｃの端部３ｈの縁部も面取り（Ｃカット）ｃを施されている。これらの面取りｃは通常Ｒ部と称され、縁部が湾曲面でカットされて丸くされているものである。もちろん、面取りｃは縁部を平らな傾斜面でカットすることで形成することもできる、
【００２６】
なお、図２（ｂ）には一方の端部３ｈ側の窪み３ｄおよび絶縁層３ｊについて示されているが、他方の端部３ｉ側の窪み３ｅおよび絶縁層３ｋについてもそれぞれ端部３ｈ側の窪み３ｄおよび絶縁層３ｊと同じに形成されている。
芯金３ｃに対する導電層３ｇおよび両絶縁層３ｊ,３ｋの各形成はそれらの順序に関係なく、導電層３ｇ先に形成した後に両絶縁層３ｊ,３ｋを形成してもよいし、その逆でもよい。
【００２７】
クリーニング部材３ｂは公知のものを用いることができ、例えば絶縁スポンジ、導電スポンジ、絶縁ブラシ、あるいは導電ブラシ等のクリーニングローラで構成することができる。その場合、圧接によるクリーニング部材３ｂと帯電ローラ３ａとの食い込み深さｄは、その画像形成装置１に応じた所定値（例えば、０.５ｍｍ等）に設定されている。
【００２８】
光書込み装置４は水平線αより下方に設けられており、例えばレーザ光等により感光体２に静電潜像を書き込む。また、現像装置５は、現像ローラ５ａ、トナー供給ローラ５ｂおよびトナー層厚規制部材５ｃを有している。現像ローラ５ａの回転中心５ａ1はこの例の画像形成装置１では水平線αより下方に位置されている。なお、現像ローラ５ａの回転中心５ａ1の設定位置はこれに限定されるものではない。
【００２９】
そして、トナー供給ローラ５ｂによって現像ローラ５ａ上に現像剤であるトナーＴが供給されるとともに、この現像ローラ５ａ上のトナーＴがトナー層厚規制部材５ｃによりその厚みを規制されて感光体２の方へ搬送され、搬送されたトナーＴで感光体２上の静電潜像が現像されて感光体２上にトナー像が形成される。
【００３０】
また、帯電ローラ３ａの感光体２との最近接部位３ｍが、現像ローラ５ａの感光体２との最近接部位５ａ2（現像ローラ５ａの回転中心５ａ1と感光体２の回転中心２ａを結ぶ直線が交わる現像ローラ５ａの外周部位）より、重力方向で下方に配置されている。
【００３１】
この例の画像形成装置１では、像担持体２、帯電装置３、および光書込み装置４は、前述の特許文献１に開示されている画像形成装置と同様に一体化して像担持体カートリッジとして構成されている。なお、更に現像装置５も含めて、像担持体２、帯電装置３、光書込み装置４、および現像装置５を一体化して画像形成カートリッジとして構成することもできる。
【００３２】
転写装置６は転写ローラ６ａを有し、この転写ローラ６ａにより感光体２上にトナー像が転写紙や中間転写媒体等の転写媒体８に転写される。そして、トナー像が転写媒体８である転写紙に転写された場合には、転写紙上のトナー像が図示しない定着装置によって定着され、転写紙に画像が形成され、また、トナー像が転写媒体８である中間転写媒体に転写された場合には、中間転写媒体上のトナー像が更に転写紙に転写された後、転写紙上のトナー像が図示しない定着装置によって定着され、転写紙に画像が形成される。
【００３３】
クリーニング装置７は例えばクリーニングブレード等のクリーニング部材７ａを有し、このクリーニング部材７ａにより感光体２がクリーニングされて、感光体２上の転写残りトナーが除去されかつ回収される。
【００３４】
このように構成されたこの例の画像形成装置１によれば、クリーニング部材３ｂを帯電ローラ３ａの回転中心３ａ1を通る水平線より下方に位置させる、つまり、帯電ローラ３ａに対してクリーニング部材３ｂを重力方向の下方に配置させることになるので、クリーニング部材３ｂが帯電ローラ３ａ上のトナー等の異物を掻き取った際、掻き取られた異物を下方に自然落下させることができる。これにより、掻き取られたトナー等の異物が光書込み装置４の方へ進行することはなく、光書込み装置４にこのような異物が付着し難くなり、長期的に安定した画像形成を実現することができる。特に、帯電ローラ３ａが感光体２に対して非接触帯電を行うことで、非接触帯電時に感光体２からのトナー等の異物の浮遊が抑制されるので、光書込み装置４の汚れがより効果的に抑制できる。
【００３５】
また、感光体２と帯電ローラ３ａとを互いに逆向きに回転させるとともに、クリーニング部材３ｂと帯電ローラ３ａとを互いに逆向きに回転させ、しかも、光書込み装置４を帯電ローラ３ａより感光体２の回転方向下流側に配置しているので、クリーニング部材３ｂから帯電ローラ３ａによって掻き取られたトナー等の異物を光書込み装置４側と反対側に進行させることができるとともに、しかも、掻き取られて浮遊しているトナー等の異物をクリーニング部材３ｂが壁となって光書込み装置４側に進行するのを阻止できる。これにより、光書込み装置４にこのような異物が更に効果的に付着し難くなり、更に長期的に安定した画像形成を実現することができる。
【００３６】
更に、帯電ローラ３ａの周速と感光体の周速とを同一または略同一（周速比を１または略１）に設定しているので、トナー等の異物の浮遊を起こり難くすることができ、光書込み装置４への異物に付着をより一層効果的に抑制することができる。更に、クリーニング部材３ｂの周速と帯電ローラ３ａの周速とを同一または略同一（周速比を１または略１）に設定しているので、トナー等の異物の浮遊を起こり難くすることができ、光書込み装置４への異物の付着を更に効果的に抑制することができる。
【００３７】
更に、帯電ローラ３ａの回転中心３ａ1と感光体２の回転中心２ａとを結ぶ直線と、帯電ローラ３ａの回転中心３ａ1とクリーニング部材３ｂの回転中心３ｂ1とを結ぶ直線とを互いに交差するように設定しているので、クリーニング部材３ｂの帯電ローラ３ａへの圧接力による、帯電ローラ３ａと感光体２との近接距離への影響を抑制することができる。これにより、クリーニング部材３ｂを帯電ローラ３ａへ圧接させても、帯電ギャップＧを帯電領域全体にわたって、長期的に安定して設定することができる。
【００３８】
次に、本発明の非接触の帯電ローラの実施例および比較例について説明する。本発明に属する実施例および本発明に属さない比較例の各画像形成装置を作製し、これらの画像形成装置を用いて、本発明の画像形成装置が前述の作用効果を得ることができることを実証するために行った実験について説明する。
実験で用いた実施例および比較例における画像形成装置の帯電ローラおよびクリーニング部材と実験結果とを表１に示す。
【００３９】
【表１】
2007017954.tif 000003
【００４０】
表１において、Ｎｏ. １〜４、６〜９、１１，１２、１４、および１９は、本発明の実施例であり、また、Ｎｏ. ５、１０，１３，１５〜１８、および２０〜２３は、本発明の比較例である。帯電ローラは、図２（ａ）および（Ｂ）に示すものであり、その芯金３ｃのシャフト径（芯金３ｃの導電層３ｇが形成される部分の直径φ）の単位はｍｍである。また、導電層３ｇの膜厚はいずれも１５μｍであり、絶縁層３ｊ,３ｋの膜厚、つまり帯電ギャップＧは２０μｍである。なお、表１中のＰ４５°は、角度Ｐが４５°であり、また、Ｃ９０°は、角度Ｃが９０°であることを意味する。
【００４１】
各例の帯電ローラの芯金のシャフト径（芯金３ｃの導電層３ｇが形成される部分の直径）は、いずれもφ８ｍｍである。この芯金３ｃは、ＳＵＭ２２の表面にＮｉめっきを施したものを用いた。芯金に形成した窪みは、いずれも１００μｍに設定した。
また、導電性塗装材および絶縁性塗装材は、表２に示すものを用いた。
【００４２】
【表２】
2007017954.tif 000004
【００４３】
表２に示すように、導電性塗装材は、導電性ＳｎＯ2を１９重量％（ｗｔ％）、ポリウレタン（ＰＵ）樹脂を１８ｗｔ％、イオン導電材３ｗｔ％、および水６０ｗｔ％を混合した塗装液である。導電性ＳｎＯ2は、表３に示す株式会社ジェムコ製のものがあり、それらの詳細は株式会社ジェムコのホームページ（http://www.jemco-mmc.co.jp/corporate/index.html）に掲載されている。
【００４４】
【表３】
2007017954.tif 000005
【００４５】
本実施例および本比較例で用いた導電性ＳｎＯ2は、株式会社ジェムコの商品名「Ｔ−１」であり、この「Ｔ−１」はスズ−アンチモン系酸化物である。もちろん、本発明では、他の導電性ＳｎＯ2を用いることができる。
また、イオン導電材は導電性塗装材に導電性を持たせるためのものであり、本実施例および本比較例で用いたイオン導電材は「ＹＹＰ−１２」（丸菱油化工業株式会社製）である。
また、ギャップ部に塗装される絶縁性塗装材は、ポリウレタン（ＰＵ）樹脂１００ｗｔ％である。
【００４６】
そして、各例の帯電ローラの製造方法は、Ｎｏ. １ないし３、１０ないし１３、および１６の帯電ローラについては、まず絶縁性塗装材を芯金の両端部にスプレー塗装により塗装して絶縁層を形成した後、次に導電性塗装材を芯金の中央部にスプレー塗装により塗装して導電層を形成した。
【００４７】
クリーニング部材を、絶縁スポンジ、導電スポンジ、絶縁ブラシ、および導電ブラシのいずれからなるクリーニングローラとして形成した。これらのクリーニングローラの直径は、いずれもφ１２±０.２ｍｍである。また、絶縁スポンジの材質はポリウレタンであり、導電スポンジの材質は導電性ポリウレタンであり、絶縁ブラシの材質はポリエステルであり、および導電ブラシの材質は導電性ポリエステルである。
【００４８】
感光体はセイコーエプソン株式会社製のＬＰ−９０００Ｃと同じ材料のものを用いて感光層の膜厚をいずれも２３μｍに設定し、表１中の感光体の直径φの単位はｍｍであり、感光体の周速はいずれも２５０ｍｍ／ｓｅｃに設定した。
【００４９】
画像形成装置の実験装置は前述のＬＰ−９０００Ｃと同じ構成となるようにＬＰ−９０００Ｃを改造して構成した。帯電ローラ３ａの印加電圧ＶC（Ｖ）は、直流電圧ＤＣ成分ＶDC（Ｖ）に交流電圧ＡＣ成分ＶAC（Ｖ）を重畳して、
ＶC ＝ ＶDC ＋ ＶAC ＝ −６５０ ＋ （１／２）ＶPP・ｓｉｎ２πｆｔ
（ここで、ＶPP＝１８００Ｖ、ｆ＝１.５ｋＨｚであり、ＶACはｓｉｎ波である。）
に設定した。実験は温度２３℃で湿度５０％の室内環境で、Ａ４の普通紙にハーフトーン２５％のベタ印字を行い、１０ｋ（１００００）枚のモノクロ耐久試験を行った。
Ｎｏ. １７，２０、および２１の比較例では、クリーニング部材の回転方向を帯電ローラの連れ回り方向とは逆の回転方向（反順方向）に設定し、それ以外はすべてクリーニング部材の回転方向を帯電ローラの連れ回り方向（順方向）に設定した。
【００５０】
目視で良好な画質の画像が得られて光書込み装置４に汚れが発生していないと判断したものを○で表し、光書込み装置４に汚れが発生したものを不良であると判断し、×で表した。
【００５１】
Ｎｏ. １〜４、６〜９、１１，１２、１４、および１９の各実施例は、いずれも実験結果が○であり、１０ｋ枚の印字を行っても光書込み装置の汚れがなく良好な画質の画像が得られた。これに対して、Ｎｏ. ５、１０，１３，１５〜１８、および２０〜２３の各比較例は、いずれも実験結果が×であり、１０００枚の印字に満たない内に光書込み装置に汚れが生じ、画質が不良となった。
この実験により、帯電ローラ３による感光体２の非接触帯電を行う本発明の画像形成装置１により、前述の本発明の効果が得られることが実証された。
【産業上の利用可能性】
【００５２】
本発明の画像形成装置は、
本発明は、電子写真、静電複写機、プリンタ、ファクシミリ等の画像形成装置において、像担持体に対して帯電ローラにより非接触帯電を行うようになっている画像形成装置であって、回転する像担持体の周囲に、帯電ローラ、光書込み装置、および現像ローラ装置が像担持体の回転方向下流側に向かって順次配設されているとともに、帯電ローラに圧接されたクリーニング部材でこの帯電ローラをクリーニングするようになっている画像形成装置に好適に利用することができる。
【図面の簡単な説明】
【００５３】
【図１】本発明にかかる画像形成装置の実施の形態の一例を模式的に示す図である。
【図２】本発明の画像形成装置に用いられる帯電ローラの一例を示し、（ａ）は軸方向に沿う断面図、（ｂ）は（ａ）における部分拡大断面図である。
【符号の説明】
【００５４】
１…画像形成装置、２…感光体、３…非接触帯電装置、３ａ…帯電ローラ、３ｂ…クリーニング部材、４…光書込み装置、５…現像装置、５ａ…現像ローラ、α,β…水平線
【図１】
2007017954.tif 000006
【図２】
2007017954.tif 000007